(57)【特許請求の範囲】
【請求項１】
動画像をＭＰＥＧ−４（Moving Picture Experts Group Phase４）規格により送受信する機能を備えた携帯電話機において、
携帯電話網に対する送受信を行う送受信部と、
地上波デジタル放送を受信する地上波デジタル放送受信部と、
前記送受信部で受信した信号を復調し更にソフトウェア処理を行う第１のデータ処理部と、
前記地上波デジタル放送受信部で受信し復号された信号を復調する第２のデータ処理部と、
前記第１又は第２のデータ処理部で復調した信号を前記ＭＰＥＧ−４規格により処理するＭＰＥＧ−４処理部と、
前記ＭＰＥＧ−４処理部の処理結果に基づいて画像表示及び音声出力を行う画像音声出力手段と、
前記送受信部及び前記地上波デジタル放送受信部の受信内容に応じて前記ＭＰＥＧ−４処理部に入力される信号の処理の優先順位を定めるように前記第１及び第２のデータ処理部を制御する制御手段を備えることを特徴とする携帯電話機。
【請求項２】
前記制御手段は、前記送受信部による受信中に前記地上波デジタル放送受信部が緊急放送にかかるＭＰＥＧ−４情報を受信したとき、前記緊急放送にかかるＭＰＥＧ−４情報を前記ＭＰＥＧ−４処理部に前記送受信部の受信信号よりも優先的に処理させることを備えることを特徴とする請求項１記載の携帯電話機。
【請求項３】
前記制御手段は、前記送受信部による受信中に前記地上波デジタル放送受信部がＭＰＥＧ−４情報を受信したとき、前記地上波デジタル放送受信部が受信したＭＰＥＧ−４情報を前記ＭＰＥＧ−４処理部に前記送受信部の受信信号よりも優先的に処理させることを特徴とする請求項１記載の携帯電話機。
【請求項４】
前記制御手段は、前記地上波デジタル放送受信部による受信中に前記送受信部がＭＰＥＧ−４情報を受信したとき、前記送受信部が受信したＭＰＥＧ−４情報を前記ＭＰＥＧ−４処理部に前記地上波デジタル放送受信部の受信信号よりも優先的に処理させることを特徴とする請求項１記載の携帯電話機。
【請求項５】
前記制御手段は、前記地上波デジタル放送受信部による受信中に前記送受信部による受信があり、前記送受信部による受信がＭＰＥＧ−４情報でないとき、音声出力を携帯電話側の受信音声に切換えることを特徴とする請求項１記載の携帯電話機。
【請求項６】
前記制御手段は、前記地上波デジタル放送受信部による受信中に前記送受信部によるメールが受信されたとき、メールメッセージの表示設定がＹＥＳの場合には前記メールを強制的にメールブラウザのメール表示画面に表示させ、前記メールメッセージの表示設定がＮＯの場合には前記地上波デジタル放送受信部が受信したＭＰＥＧ−４情報の処理を継続することを特徴とする請求項１記載の携帯電話機。
【発明の詳細な説明】
【０００１】
【発明の属する技術分野】
本発明は、携帯電話機に関し、特に、本来の用途である携帯電話機能に加えて地上波デジタル放送を受信可能な携帯電話機に関する。
【０００２】
【従来の技術】
携帯電話機は、アナログ方式からデジタル方式に変わり、メール送信やインターネットへの接続も可能になった。コンピュータ等ではインターネットから動画の配信を受けることが可能になっているが、携帯電話機においても、次世代携帯電話機ではＭＰＥＧ−４（Moving Picture Experts Group Phase４）の動画圧縮規格による動画配信やテレビ電話が実現されようとしている。一方、デジタル化はテレビジョン放送においても進展しており、既にＢＳ（放送衛星）デジタル放送が実用化され、数年後には地上波デジタル放送（地上に立設したアンテナから一般家庭の受信機に向けて送信される放送）の実用化が予定されている。ＢＳデジタル放送においては、ＤＶＤ（Digital Video Disc）でも用いれているＭＰＥＧ−２が動画圧縮規格として採用されている。次世代携帯電話の「ＩＭＴ−２０００」（International Mobile Telecommunication２００）規格においては、通信速度が３８４ｋ〜２Ｍｂｐｓ程度に高速化され、ＭＰＥＧ−４によるインターネットからのＡＶ（Audio Visual）配信が可能になる。一方、地上波デジタル放送においては、８４０ｋｂｐｓによるテレビジョン動画像の配信が予定されている。このため、携帯電話機に携帯電話用の送受信回路のほかにデジタル放送用の受信回路を搭載することにより、原理的には携帯電話機でもデジタル放送の受信が可能になる。
【０００３】
図６は、地上波デジタル放送の実用化により構築可能な通信網を示す。地上波デジタル放送局５０１によるデジタル放送は、住宅５０２や携帯電話機５０３のほか、車両等においても受信できる。殆どの住宅５０２に設置されている固定電話機（図示せず）は加入電話網５０４に接続され、また、携帯電話機５０３は携帯電話網５０５に接続されている。携帯電話網５０５と加入電話網５０４は、番組、データ放送（文字放送）、音楽、ビデオ、ゲーム等のソフト等を地上波デジタル放送局５０１を通して通信業者等が提供する情報流通プラットフォーム５０６に接続されている。さらに、地上波デジタル放送局５０１からの一方的な情報提供のほか、テレビ番組と連動した新しい双方向サービスの提供も予想されている。
【０００４】
【発明が解決しようとする課題】
しかし、従来の携帯端末装置によると、携帯電話機で地上波デジタル放送を受信できるようにするためにデジタル放送受信用の受信回路を搭載した場合、地上波デジタル放送受信用の受信回路系と携帯電話受信用の受信回路系のそれぞれにＭＰＥＧ−４の処理のための回路を設ける必要がある。ところが、現在、地上波デジタル放送は実用化前であり、携帯電話機でデジタル放送を受信する通信技術は確立されていない。このため、現状では、携帯電話モードでのＭＰＥＧ−４情報とデジタル放送受信モードでのＭＰＥＧ−４情報に対し、ＭＰＥＧ−４以降の処理を重複しないで処理する構成について考慮されておらず、携帯電話機で地上波デジタル放送を受信できる携帯電話機の実用化には課題が残されている。また、携帯電話モードとデジタル放送受信モードのそれぞれでＭＰＥＧ−４の処理のための回路を設けた場合、携帯電話機の構成が複雑化すると共に、部品点数が増えることにより、携帯電話機の大型化、重量増、及びコストアップを招くことになる。
【０００５】
本発明の目的は、地上波デジタル放送受信と携帯電話の両方を使用できると共に、地上波デジタル放送側と携帯電話側のＭＰＥＧ−４処理の競合を無くし、さらに部品増、重量増、及びコストアップを防止できる携帯電話機を提供するにある。
【０００６】
【課題を解決するための手段】
本発明は、上記の目的を達成するため、動画像をＭＰＥＧ−４（Moving Picture Experts Group Phase４）規格により送受信する機能を備えた携帯電話機において、携帯電話網に対する送受信を行う送受信部と、地上波デジタル放送を受信する地上波デジタル放送受信部と、前記送受信部で受信した信号を復調し更にソフトウェア処理を行う第１のデータ処理部と、前記地上波デジタル放送受信部で受信し復号された信号を復調する第２のデータ処理部と、前記第１又は第２のデータ処理部で復調した信号を前記ＭＰＥＧ−４規格により処理するＭＰＥＧ−４処理部と、前記ＭＰＥＧ−４処理部の処理結果に基づいて画像表示及び音声出力を行う画像音声出力手段と、前記送受信部及び前記地上波デジタル放送受信部の受信内容に応じて前記ＭＰＥＧ−４処理部に入力される信号の処理の優先順位を定めるように前記第１及び第２のデータ処理部を制御する制御手段を備えることを特徴とする携帯電話機を提供する。
【０００７】
この構成によれば、ＭＰＥＧ−４処理部は、携帯電話用の送受信部からのＭＰＥＧ−４情報の処理と、地上波デジタル放送受信用の地上波デジタル放送受信部からのＭＰＥＧ−４情報の処理とに共用され、いずれかのＭＰＥＧ−４情報が受信されたときにＭＰＥＧ−４処理部による処理が実行される。これにより、送受信部と地上波デジタル放送受信部のそれぞれにＭＰＥＧ−４処理部を設ける必要がないため、ＭＰＥＧ−４処理部の競合を生じることがなく、さらに部品増及び重量増の低減によりコストアップを防止できるようになる。
【０００８】
【発明の実施の形態】
以下、本発明の実施の形態を図面に基づいて説明する。図１は、本発明による携帯電話機の構成を示す。本発明の携帯電話機は、アンテナ１、携帯電話送受信部２、携帯電話用のデータ処理部３、アプリケーション（application ）部４、ブラウザ(browser) 部５、ＣＰＵ部６、ＭＰＥＧ−４処理部７、地上波デジタル放送受信部８、地上波デジタル放送のデータ処理部９、ＴＳ（Transport Stream）処理部１０、液晶表示器等を用いた表示部１１、及び低周波増幅器やスピーカを含む音声出力部１２を備えて構成されている。
【０００９】
図１において、携帯機送受信機２、データ処理部３、アプリケーション部４、及びブラウザ部５が、携帯電話専用の回路部分であり、地上波デジタル放送受信部８、データ処理部９、及びＴＳ処理部１０が、地上波デジタル放送専用の回路部分である。さらに、ＣＰＵ部６、ＭＰＥＧ−４処理部７、表示部１１、及び音声出力部１２は、携帯電話モードと地上波デジタル放送受信モードにおいて共用され、携帯電話の受信信号を復調し、或いは地上波デジタル放送電波を受信する。特に、ＭＰＥＧ−４処理部７は、携帯電話、地上波デジタル放送ともにＭＰＥＧ−４信号の復調処理に重要な役割を担っている。ＭＰＥＧ−４処理部７が携帯電話と地上波デジタル放送に共用されることにより、回路構成を簡略化できると共にコストダウンが可能になる。
【００１０】
アンテナ１は、筐体に伸縮自在に取り付けられた外部アンテナと内蔵アンテナを含み、携帯電話と地上波デジタル放送のそれぞれの使用周波数に対応している。携帯電話送受信部２はアンテナ１に接続され、携帯電話モードにおいて機能する。この携帯電話送受信部２は、送信回路、受信回路、送受信の切替回路、変調回路、復調回路、ＰＬＬ（Phase Locked Loop ）回路等を備えて構成されている。データ処理部３は、携帯電話用送受信部２で受信された送信側からのデータを復調する。アプリケーション部４は、携帯電話の受信に対応したアプリケーションを選択する。具体的には、メールやインターネットのブラウザ（Ｗｅｂ（World Wide Web）ページの内容を閲覧するためのソフトウェア）による処理を実行する。ブラウザ部５は、アプリケーション部４により処理され、或いはＭＰＥＧ−４処理部７で処理して得られた画像情報（メール、Ｗｅｂページ等の画像）を表示部１１に表示させる。
【００１１】
ＣＰＵ部６はＣＰＵを主体に構成され、携帯電話機の全体を制御する。ＭＰＥＧ−４処理部７は、携帯電話及び地上波デジタル放送のそれぞれのＭＰＥＧ−４情報を処理する。地上波デジタル放送受信部８は、地上波デジタル放送を受信するための受信回路、映像・音声の復調回路等を備えて構成されている。データ処理部９は、地上波デジタル放送受信部８で復号されたデータを処理し、映像データ及び音声データをＭＰＥＧ−４処理部７へ出力する。ＴＳ処理部１０は、データ処理部９からのトランスポート（ＴＳ：Transport Stream）信号（ヘッダ＋アダプテーションフィールド＋ペイロードからなる）を復調する。表示部１１は、ブラウザ部５からの映像情報を表示器に表示する。音声出力部１２は、ＭＰＥＧ−４処理部７で処理された音声信号をスピーカ（図示せず）により電気−音響変換して出力する。
【００１２】
ここで、図１の構成における全体の動作ついて説明する。携帯電話用送受信部２の受信部と、地上波デジタル放送受信部８は共に機能しており、使用周波数帯が異なるため同時受信が可能である。例えば、地上波デジタル放送受信部８の受信中に携帯電話の着信があれば、携帯電話モードに移行することができる。携帯電話モードが動作しているとき、アンテナ１からの電波は携帯電話送受信部２に入力され、その送信データはデータ処理部３によって復調され、さらにアプリケーション部４において受信電波に必要なアプリケーションが選択される。データ処理部３からの音声情報はブラウザ５を介して音声出力部１２により音声に変換出力される。
【００１３】
携帯電話モード（インターネット接続等を含む）におけるＭＰＥＧ−４処理は、ＭＰＥＧ−４処理部７で行われる。また、地上波デジタル放送受信は、地上波デジタル放送受信部８によって選局及び復調が行われ、さらにデータ処理部９及びＴＳ処理部１０においてトランスポート信号に復調される。このトランスポート信号は、ＭＰＥＧ−４処理部７の処理に必要なデータフォーマットとして供給される。ＭＰＥＧ−４処理部７で復号化（伸長）された動画像はブラウザ部５を介して表示部１１に出力され、音声情報は音声出力部１２に出力される。
【００１４】
次に、ＭＰＥＧ−４処理部７の詳細動作について説明する。
図２は、ＭＰＥＧ−４により携帯電話の電波を受信しているときに、地上波デジタル放送を受信した場合の処理を示す。以下の各フローチャートにおいては、ステップを“Ｓ”で表している。
【００１５】
携帯電話モード（インターネット接続等を含む）において電波を受信すると（Ｓ１０１）、現在、携帯電話モードにおいて携帯電話側のＭＰＥＧ−４情報を受信したか否かが、ＣＰＵ部６によりチェックされる（Ｓ１０２）。受信していれば、受信信号がデータ処理部３で処理され、さらに受信信号中に含まれているＭＰＥＧ−４情報がＭＰＥＧ−４処理部７で復調され（Ｓ１０３）、その結果が表示部１１及び音声出力部１２に送られる（Ｓ１０４，Ｓ１０５）。一方、携帯電話側のＭＰＥＧ−４情報を受信していないとき（Ｓ１０２）、地上波デジタル放送のＭＰＥＧ−４情報を受信したか否かがチェックされる（Ｓ１０６）。Ｓ１０６でＭＰＥＧ−４情報の受信が判定された場合、Ｓ１０３へ移行して受信信号をＭＰＥＧ−４処理部７によりＭＰＥＧ−４情報を復調（Ｓ１０３）した後、Ｓ１０４及びＳ１０５の処理が実行され、受信状態になる。また、Ｓ１０６でＭＰＥＧ−４情報の受信が無かったとき、待ち受け画面状態になる（Ｓ１０７）。
【００１６】
図３は、地上波デジタル放送によるＭＰＥＧ−４情報を受信中に携帯電話の電波の受信があった場合の処理を示す。地上波デジタル放送の電波を受信したとき（Ｓ２０１）、携帯電話側の電波が受信されたか否かをチェックする（Ｓ２０２）。これは、携帯電話機であるために、基本的に携帯電話の機能が最優先されるためである。携帯電話側の電波が受信されていない場合、地上波デジタル放送のＭＰＥＧ−４情報を処理し（Ｓ２０３）、この結果を表示部１１及び音声出力部１２へ送出する（Ｓ２０４，Ｓ２０５）。一方、携帯電話側のＭＰＥＧ−４情報が受信された場合（Ｓ２０６）、Ｓ２０３〜Ｓ２０５の処理を実行する。また、Ｓ２０６で携帯電話側のＭＰＥＧ−４情報が受信されなかった場合、地上波デジタル放送の画像処理はＭＰＥＧ−４による処理された状態のまま、音声を携帯電話側の受信音声に切換える音声切換処理を実行する（Ｓ２０７，Ｓ２０５）。なお、Ｓ２０５による音声出力は、携帯電話側の音声通信が終了し次第、地上波デジタル放送のＭＰＥＧ−４の音声出力に切換えられる。
【００１７】
図４は、地上波デジタル放送側ＭＰＥＧ−４の受信時に携帯電話によるメール受信を行った場合の処理を示す。
地上波デジタル放送のＭＰＥＧ−４情報を受信しているとき（Ｓ３０１）、携帯電話側のメールの受信の有無が判定される（Ｓ３０２）。メールの受信がないとき、ＭＰＥＧ−４処理部７によって地上波デジタル放送のＭＰＥＧ−４情報が処理され（Ｓ３０３）、この結果が表示部１１及び音声出力部１２へ送出される（Ｓ３０４，Ｓ３０５）。一方、Ｓ３０２でメールの受信が判定されたとき、そのメールメッセージをそれまでの表示に代えてダイレクトに表示させるか、現在表示中の画像の中にメール到着を知らせるアイコンを表示させるかといった設定の有無のチェックが行われる（Ｓ３０６）。メールメッセージ表示設定がＹｅｓの場合、強制的にメールブラウザのメール表示画面においてメールメッセージの表示が行われる（Ｓ３０７）。また、メールメッセージ表示設定がＮｏの場合、Ｓ３０３〜Ｓ３０５の処理が実行される。この処理においては、メール受信を認識できるアイコン等を画面上に表示し、メール着信を確認するのみで、画面上は地上波デジタル放送のＭＰＥＧ−４情報の画面状態を維持する。
【００１８】
図２〜図４の処理を行うことにより、携帯電話側及び地上波デジタル放送側のＭＰＥＧ−４情報のいずれに対しても、ＭＰＥＧ−４処理部７が１つで対応できるので両系の競合を防止できる。また、部品数を増やさずに済むので収納スペースを小さくでき、筐体の大型化を避けることができる。
【００１９】
図５は、携帯電話（インターネット接続等を含む）の受信状態にあるときに、地上波デジタル放送による緊急放送が受信されたときの処理を示す。携帯電話の受信状態において（Ｓ４０１）、地上波デジタル放送の緊急放送を受信した場合（Ｓ４０２）、地上波デジタル放送の緊急放送受信の処理を行うため、ＭＰＥＧ−４処理部７によりＭＰＥＧ−４処理が実施され（Ｓ４０３）、この結果は表示部１１及び音声出力部１２に送出される（Ｓ４０４，Ｓ４０５）。一方、緊急放送の受信が無かったとき（Ｓ４０２）、携帯電話の受信状態がＣＰＵ部６により保持（待受画面の表示または携帯電話の送受信処理）される（Ｓ４０６）。このように、他の表示や音声出力に対して優先処理されるべき緊急放送の受信時には、直ちに緊急放送のＭＰＥＧ−４処理が実施されるので、緊急の情報を素早くユーザに認知させることができる。
【００２０】
上記実施の形態においては、携帯電話機について説明したが、ＭＰＥＧ−４に対応した携帯電話機能と地上波デジタル放送の受信機能の両方を備えたＰＤＡ（Personal Digital Assistant）装置であってもよい。
【００２１】
【発明の効果】
以上より明らかなように、本発明の携帯電話機によれば、携帯電話用の送受信部からのＭＰＥＧ−４情報の処理と、地上波デジタル放送受信用の地上波デジタル放送受信部からのＭＰＥＧ−４情報の処理とに共用されるＭＰＥＧ−４処理部を設けたことにより、送受信部と地上波デジタル放送受信部のそれぞれにＭＰＥＧ−４処理部を設ける必要がなくなり、ＭＰＥＧ−４処理部の競合を生じることなく、さらに部品増及び重量増の低減によりコストアップを防止した携帯電話機の提供が可能になる。さらに、図２〜図５に示したように地上波デジタル放送の受信と携帯電話との各種の競合に対する処理を明確化しているため、使用シーン（携帯電話着信、携帯メール着信、携帯ＭＰＥＧ−４受信等）のそれぞれにおいてＭＰＥＧ−４情報の受信時における競合を低減することができる。
【図面の簡単な説明】
【図１】本発明による携帯電話機の構成を示すブロック図である。
【図２】携帯電話でのＭＰＥＧ−４受信のときに地上波デジタル放送を受信した場合の処理を示すフローチャートである。
【図３】地上波デジタル放送によるＭＰＥＧ−４情報を受信中に携帯電話の電波の受信があった場合の処理を示すフローチャートである。
【図４】地上波ＭＰＥＧ−４受信時に携帯電話によるメール受信を行った場合の処理を示すフローチャートである。
【図５】携帯電話の受信時に地上波デジタル放送による緊急放送が受信されたときの処理を示すフローチャートである。
【図６】地上波デジタル放送の実用化により構築可能な通信網を示す説明図である。
【符号の説明】
１  アンテナ
２  携帯電話送受信部
３，９  データ処理部
４  アプリケーション部
５  ブラウザ部
６  ＣＰＵ部
７  ＭＰＥＧ−４処理部
８  地上波デジタル放送受信部
１０  ＴＳ処理部
１１  表示部
１２  音声出力部
５０１  地上波デジタル放送局
５０２  住宅
５０３  携帯電話機
５０４  加入電話網
５０５  携帯電話網
【図２】
0003726740.tif 000002
【図３】
0003726740.tif 000003
【図４】
0003726740.tif 000004
【図５】
0003726740.tif 000005
【図６】
0003726740.tif 000006
【図１】
0003726740.tif 000007